(57)【要約】  【課題】商品を冷却あるいは加熱し販売する自動販売機において、加温時間を表示し、加温劣化商品の販売を抑制する。  【解決手段】複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、収納商品の温度を検知する温度検知手段５と、２４時間の時間計測を行うタイマー６と、自動販売機の各種状態を表示する表示手段７とから構成され、演算制御部１０にて各商品の加温時間累計を表示手段７に表示することで、加温劣化までの残り時間を計算でき、商品交換時期を容易に判断できる。【選択図】図１
2005332114.tif 000002
【特許請求の範囲】
【請求項１】
複数の商品収納装置を備えた本体と、前記本体下部に設けられ前記商品収納装置に収納された商品を冷却または加熱するための冷却・加温手段と、時間計数を行うタイマーと、収納商品の温度を検知する温度検知手段と、自動販売機の各種状態を表示する表示手段と、前記商品収納装置に投入された商品を前記冷却・加温手段により冷却または加温された時間を善前記タイマーにて時計測された値を前記表示手段に表示させる演算制御部を備え、冷却または加温時間を表示することを特徴とした自動販売機。
【請求項２】
前記商品収納装置に充填された販売商品の本数を検知する本数検知手段を備え、販売商品ごとの冷却または加温時間を表示することを特徴とした請求項１に記載の自動販売機。
【請求項３】
前記表示手段に商品加温時間と、商品温度の関係をグラフ表示することを特徴とした請求項１または２に記載の自動販売機。
【請求項４】
前記表示手段は加温劣化間際の商品を表示することを特徴とした請求項１から３のいずれか一項に記載の自動販売機。
【請求項５】
販売本数の累計を記憶する記憶手段を備え、売り上げ実績から投入本数を表示することを特徴とする請求項１から４のいずれか一項に記載の自動販売機。
【発明の詳細な説明】
【技術分野】
【０００１】
本発明は商品の収納庫を冷却または加熱して商品を販売するようにした自動販売機の特に加温劣化を抑制する自動販売機に関するものである。
【背景技術】
【０００２】
近年、自動販売機の冷却・加熱装置は特開平１０―１９８８５３号公報に示されるように、大型液晶ディスプレイ装置からなる表示部と、表示部を制御する制御手段とからなり、販売商品に該当する商品のサンプル画像と、販売価格と冷温表示とを設定情報に基づいて画面に表示する構成となっている。
【特許文献１】特開平１０―１９８８５３号公報
【発明の開示】
【発明が解決しようとする課題】
【０００３】
しかしながら、上記のような構成では，商品投入直後や長時間加温された場合でも冷温表示は同一であり、加温劣化している商品の状態まで表示できないといった欠点があった。本発明は従来の課題を解決するもので、加温劣化した商品を認識しやすくすることができる自動販売機を提供することを目的とする。
【課題を解決するための手段】
【０００４】
上記従来の課題を解決するために、本発明の自動販売機は収納商品別に加温累計時間を表示できるようにしたものである。
【０００５】
これによって、商品投入完了時タイマーによって加温劣化商品の確認が容易にできる。
【発明の効果】
【０００６】
本発明の自動販売機は収納商品別に加温累計時間を表示することで、加温劣化商品の確認が容易にできる。
【発明を実施するための最良の形態】
【０００７】
以上説明したように請求項１に記載の発明は、表示手段に収納商品別に加温累計時間を表示することで、加温劣化商品の確認が容易にできる。
【０００８】
また、請求項２に記載の発明は、請求項１に記載の発明に加えて、本数検知手段を備えることにより、商品収納装置の商品本数ごとに、加温累計時間を表示することで、加温劣化商品の確認が容易にできる。
【０００９】
また、請求項３に記載の発明は、請求項１または２に記載の発明に加えて、グラフ表示を行うことで、販売商品の加温推移を用意に確認できる。
【００１０】
また、請求項４に記載の発明は、請求項１から３のいずれか一項に記載の発明に加えて、加温劣化間際の商品の表示を行え、無駄な商品廃棄を抑制することができる。
【００１１】
また、請求項５に記載の発明は、請求項１から４のいずれか一項に記載の発明に加えて、記憶手段を備えることにより、販売状況に応じて、投入本数を算出し、加温劣化するまでに商品を売り切ることで、商品廃棄頻度を抑制することができる。
【００１２】
（実施の形態１）
図１は、本発明の実施の形態１による自動販売機の側面断面図である。図２は、同実施の形態の自動販売機の制御装置の機能ブロック図である。図３は、同実施の形態の動作を示すフローチャートである。
【００１３】
図１、図２において、商品収納装置１は商品を収納するための構造体であり、断熱壁よりなる本体２は商品収納装置１を複数備えている。冷却・加温手段３は商品を冷却または加温する装置であり本体２下部に配置している。ファン４は冷却・加温手段３によって冷却または加温された空気を送風する装置である。温度検知手段５は商品収納装置１内の商品温度を検知する。タイマー６は２４時間の時間計測を行う。表示手段７は自動販売機の各種状態を表示する。演算制御部１０はタイマー６により計測された時間を表示手段７に表示するための演算を行う。
【００１４】
以上のように構成された自動販売機について、以下その動作を説明する。
【００１５】
商品投入完了時タイマー６により、各商品収納装置１ごとに加温時間の計測が始まる（ＳＴＥＰ１）。自動販売機管理者が次回商品投入時、各商品収納装置１の加温時間を確認するとき（ＳＴＥＰ２）、各商品収納装置１ごとの加温時間一覧を表示手段７に表示する（ＳＴＥＰ３）。
【００１６】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、収納商品の温度を検知する温度検知手段５と、２４時間の時間計測を行うタイマー６と、自動販売機の各種状態を表示する表示手段７とから構成され、演算制御部１０にて各商品の加温時間累計を表示手段７に表示することで、加温劣化までの残り時間を計算でき、商品交換時期を容易に判断できる。
【００１７】
（実施の形態２）
図４は本発明の実施の形態２による自動販売機の側面断面図である。図５は同実施の形態の自動販売機の制御装置の機能ブロック図である。図６は同実施の形態の動作を示すフローチャートである。なお、実施の形態１と同一構成については同一符号を付して、その詳細な説明を省略する。
【００１８】
図４、図５において、本数検知手段８は商品収納装置１に充填された販売商品の本数を検知するものである。
【００１９】
本実施の形態は、実施の形態１による自動販売機に、さらに本数検知手段８を設けたものである。
【００２０】
以上のように構成された自動販売機について、以下その動作を説明する。
【００２１】
商品投入時、各商品収納装置ごとに投入本数をカウントし（ＳＴＥＰ４）、商品投入完了後、タイマー６により、各商品収納装置１ごとに加温時間の計測が始まる（ＳＴＥＰ５）。自動販売機管理者が次回商品投入時、各商品収納装置１の加温時間を確認するとき（ＳＴＥＰ６）、各商品収納装置１ごとに、収納本数と、その商品の加温劣化するまでの時間および日数一覧を表示手段７に表示する（ＳＴＥＰ７）。
【００２２】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、収納商品の温度を検知する温度検知手段５と、２４時間の時間計測を行うタイマー６と、自動販売機の各種状態を表示する表示手段７と、商品収納装置１に充填された販売商品の本数を検知する本数検知手段８から構成され、各商品の加温時間累計と、加温劣化するまでの時間および日数一覧を表示手段７に表示することで、加温劣化までの残り時間を計算でき、商品交換時期を容易に判断できる。
【００２３】
（実施の形態３）
図４は本発明の実施の形態３による自動販売機の側面断面図である。図７は同実施の形態の動作を示すフローチャートである。なお、実施の形態１または２と同一構成については同一符号を付して、その詳細な説明を省略する。
【００２４】
以上のように構成された自動販売機について、以下その動作を説明する。
【００２５】
商品投入時、各商品収納装置ごとに投入本数をカウントし（ＳＴＥＰ８）、商品投入完了後、タイマー６により、各商品収納装置１ごとに加温時間の計測が始まる（ＳＴＥＰ９）。自動販売機管理者が次回商品投入時、各商品収納装置１の加温時間を確認するとき（ＳＴＥＰ１０）、各商品収納装置１の、収納商品ごとに、その商品の加温時間と温度の関係をグラフ表示にて表示手段７に表示する（ＳＴＥＰ１１）。
【００２６】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、収納商品の温度を検知する温度検知手段５と、２４時間の時間計測を行うタイマー６と、自動販売機の各種状態を表示する表示手段７と、商品収納装置１に充填された販売商品の本数を検知する本数検知手段８から構成され、各商品の加温時間累計と、温度との関係をグラフで確認することができ、商品の加温状態の推移と加温劣化までの残り時間を計算でき、商品交換時期を容易に判断できる。
【００２７】
（実施の形態４）
図４は本発明の実施の形態４による自動販売機の側面断面図である。図８は同実施の形態の動作を示すフローチャートである。なお、実施の形態１から３と同一構成については同一符号を付して、その詳細な説明を省略する。
【００２８】
以上のように構成された自動販売機について、以下その動作を説明する。
【００２９】
商品投入時、各商品収納装置ごとに投入本数をカウントし（ＳＴＥＰ１２）、商品投入完了後、タイマー６により、各商品収納装置１ごとに加温時間の計測が始まる（ＳＴＥＰ１３）。自動販売機管理者が次回商品投入時、各商品収納装置１の加温時間を確認するとき（ＳＴＥＰ１４）、各商品収納装置１の、収納商品ごとに、加温劣化間際の商品とその本数を表示手段７に表示する（ＳＴＥＰ１５）。
【００３０】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、収納商品の温度を検知する温度検知手段５と、２４時間の時間計測を行うタイマー６と、自動販売機の各種状態を表示する表示手段７と、商品収納装置１に充填された販売商品の本数を検知する本数検知手段８から構成され、商品収納、各商品収納装置ごとに、加温劣化間際の商品とその本数を確認することができ、商品交換時期を容易に判断できる。
【００３１】
（実施の形態５）
図９は本発明の実施の形態５による自動販売機の側面断面図である。図１０は同実施の形態の自動販売機の制御装置の機能ブロック図である。図１１は同実施の形態の動作を示すフローチャートである。なお、実施の形態１から４と同一構成については同一符号を付して、その詳細な説明を省略する。
【００３２】
図９、図１０において、記憶手段９は販売本数の累計を記憶するものである。
【００３３】
本実施の形態は、実施の形態１から４のいずれか一項に記載の自動販売機に、さらに記憶手段１２を設けたものである。
【００３４】
以上のように構成された自動販売機について、以下その動作を説明する。
【００３５】
商品投入時、各商品収納装置ごとに投入本数をカウントし（ＳＴＥＰ１６）、商品投入完了後、タイマー６により、各商品収納装置１ごとに加温時間の計測が始まる（ＳＴＥＰ１７）。商品が販売されると、記憶手段９により、販売商品の種類と本数が記憶される（ＳＴＥＰ１８）。自動販売機管理者が次回商品投入時、各商品収納装置１の加温時間を確認するとき（ＳＴＥＰ１９）、販売情報に基づき、各商品収納装置１の、収納商品ごとに、加温劣化しない程度の投入本数を表示手段７に表示する（ＳＴＥＰ２０）。
【００３６】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、収納商品の温度を検知する温度検知手段５と、２４時間の時間計測を行うタイマー６と、自動販売機の各種状態を表示する表示手段７と、商品収納装置１に充填された販売商品の本数を検知する本数検知手段８と、販売情報を記憶する記憶手段９から構成され、収納商品ごとに、加温劣化しない程度の投入本数を表示手段７に表示し、商品交換作業を容易にする。
【産業上の利用可能性】
【００３７】
本発明にかかる自動販売機は、収納商品別に加温累計時間を表示することで、加温劣化商品の確認が容易にでき、自動販売機に関わらず加温機能を備えた機器に幅広く適用できる。
【図面の簡単な説明】
【００３８】
【図１】本発明による実施の形態１の自動販売機の側面断面図
【図２】同実施の形態の自動販売機の制御装置の機能ブロック図
【図３】同実施の形態の自動販売機の動作を示すフローチャート
【図４】本発明による実施の形態２の自動販売機の側面断面図
【図５】同実施の形態の自動販売機の制御装置の機能ブロック図
【図６】同実施の形態の自動販売機の動作を示すフローチャート
【図７】本発明による実施の形態３の動作を示すフローチャート
【図８】本発明による実施の形態４の動作を示すフローチャート
【図９】本発明による実施の形態５の自動販売機の側面断面図
【図１０】同実施の形態の自動販売機の制御装置の機能ブロック図
【図１１】同実施の形態の自動販売機の動作を示すフローチャート
【符号の説明】
【００３９】
１    商品収納装置
２    本体
３    冷却・加温手段
４    ファン
５    温度検知手段
６    タイマー
７    表示手段
８    本数検知手段
９    記憶手段
１０  演算制御部
【図１】
2005332114.tif 000003
【図２】
2005332114.tif 000004
【図３】
2005332114.tif 000005
【図４】
2005332114.tif 000006
【図５】
2005332114.tif 000007
【図６】
2005332114.tif 000008
【図７】
2005332114.tif 000009
【図８】
2005332114.tif 000010
【図９】
2005332114.tif 000011
【図１０】
2005332114.tif 000012
【図１１】
2005332114.tif 000013